(57)【要約】  本発明によって対処される課題は、携帯型ストラッピング装置２用の保持装置１に対し、携帯型ストラッピング装置２を所定位置に保持することができる可能性をもたらすことであり、その可能性により、携帯型ストラッピング装置２を用いるストラッピングプロセスをより生産的にすることができる。この課題は、ストラッピング装置２に挿入されたストラッピング装置２の充電式電池４を充電するために保持装置に一体化された充電ステーション１２によって解決される。さらに、本発明により、保持装置１におけるストラッピング装置２の位置的に正確な配置のための位置決め手段１５、１６、１７、１８が配置される保持装置１のホルダーが設けられ、位置決め手段１５、１６、１７、１８を用いて、ストラッピング装置２は保持装置１に、ストラッピング装置２に配置された充電式電池４が充電ステーション１２に対して所定の充電位置にあるように配置される。【選択図】図２
2018523457.tif 000002
【特許請求の範囲】
【請求項１】
携帯型ストラッピング装置用の保持装置であって、該携帯型ストラッピング装置を所定位置で保持することができる保持装置であり、
前記ストラッピング装置内に挿入される該ストラッピング装置の充電式電池の充電のための、該保持装置に一体化された充電ステーションと、該保持装置のホルダーであって、該保持装置における前記ストラッピング装置の位置的に正確な配置のための位置決め手段が配置され、前記ストラッピング装置は、該ストラッピング装置に配置された前記充電式電池が前記充電ステーションに対して所定の充電位置にあるように、前記位置決め手段によって該保持装置に配置される、ホルダーとを特徴とする、保持装置。
【請求項２】
前記蓄電池の非接触充電のための充電ステーションを特徴とする、請求項１に記載の保持装置。
【請求項３】
前記ストラッピング装置と、特に該ストラッピング装置のベースプレートと接触するように設けられた、前記充電式電池の位置決めのための位置決め手段が設けられた、前記保持装置の位置決め手段を特徴とする、請求項１又は２に記載の保持装置。
【請求項４】
前記充電ステーションに対する前記充電式電池の位置決めのために、前記ストラッピング装置は、空間的に３つの異なる方向における該ストラッピング装置の向きを達成することができる、前記保持装置の位置決め手段によって位置決めされることを特徴とする、請求項１に記載の保持装置。
【請求項５】
空間的に幾つかの異なる方向に関して前記保持装置における前記ストラッピング装置の嵌め合い配置のための前記保持装置の位置決め手段を特徴とする、請求項１〜４のいずれか一項に記載の保持装置。
【請求項６】
充電位置にある前記ストラッピング装置が、該ストラッピング装置のベースプレートによって前記保持装置に当接し、該ベースプレートは、ストラッピングプロセス中にそれぞれの包装品に接して配置されるように設けられている、前記保持装置における前記ストラッピング装置の配置を特徴とする、請求項１〜５のいずれか一項に記載の保持装置。
【請求項７】
前記保持装置の支持部であって、前記ストラッピング装置は、そのベースプレートにより該支持部の上に配置されるように設計されている、支持部と、該支持部の１つの端面の領域において該支持部に隣接し、かつ前記支持部の上部から間隔を空けて突出する前記充電ステーションとを特徴とする、請求項１〜６のいずれか一項に記載の保持装置。
【請求項８】
前記支持部の主な長手方向の広がりの一方向と、前記一体化した充電ステーションの主な長手方向の広がりの一方向とは、ゼロ以外の角度、特に、９０度〜１４０度の角度をなすことを特徴とする、請求項７に記載の保持装置。
【請求項９】
前記一体化した充電ステーションを備えた前記保持装置は、可動カートの上に配置されていることを特徴とする、請求項１〜８のいずれか一項に記載の保持装置。
【請求項１０】
バンド補給品、特にバンドロールのための前記可動カートのホルダーを特徴とする、請求項９に記載の保持装置。
【請求項１１】
ストラッピングバンドによる包装品のストラッピングのための携帯型ストラッピング装置の充電式蓄電池の充電ステーションであって、該充電ステーションには、エネルギー伝送装置が設けられ、それにより前記充電式電池に電気エネルギーを供給することができ、前記エネルギー伝送装置に、前記ストラッピング装置の前記充電式電池に対する無線エネルギー伝送のための手段が設けられていることを特徴とする、充電ステーション。
【請求項１２】
少なくとも１つの携帯型ストラッピング装置用の前記充電ステーションに一体化されたホルダーであって、該ホルダーの所定位置に前記ストラッピング装置を配置するための手段が設けられているホルダーを特徴とする、請求項１１に記載の充電ステーション。
【請求項１３】
充電式エネルギー貯蔵部を備えた少なくとも１つの携帯型ストラッピング装置と、該少なくとも１つのエネルギー貯蔵部を充電する充電ステーションとを備える、包装品のストラッピング用のストラッピングシステムであって、可動移動式又は移動可能カートに配置された、前記ストラッピング装置用の保持装置とともに、前記ストラッピング装置に設置された該ストラッピング装置の充電式電池の非接触充電のための、前記保持装置に一体化された充電ステーションを特徴とする、ストラッピングシステム。
【請求項１４】
前記保持装置のホルダーであって、前記保持装置における前記ストラッピング装置の位置的に正確な配置のために位置決め手段が配置され、前記ストラッピング装置は、該ストラッピング装置に配置された前記充電式電池が前記充電ステーションに対して所定の充電位置にあるように、前記位置決め手段により前記保持装置に配置される、ホルダーを特徴とする、請求項１３に記載のストラッピングシステム。
【請求項１５】
前記カートに設けられる、ストラッピングプロセスのための消耗品用、特に、ストラッピングバンドのロール用の少なくとも１つのホルダーを特徴とする、請求項１３又は１４に記載のストラッピングシステム。
【請求項１６】
前記充電ステーション用の電源接続部であって、それにより、前記可動カートに配置された前記充電ステーションを供給電源に接続することができる、電源接続部を特徴とする、請求項１３〜１５のいずれか一項に記載のストラッピングシステム。
【請求項１７】
前記カートにトレー面が設けられ、該トレー面は、特に、前記ストラッピング装置における前記ストラッピングバンドの伸びる意図された方向が、前記カートに配置されたバンド補給品からの前記ストラッピングバンドの引離し方向と少なくともおよそ位置合わせされるように、前記トレー面の上に前記保持装置を配置するように設けられていることを特徴とする、請求項１２〜１５のいずれか一項に記載のストラッピングシステム。
【発明の詳細な説明】
【技術分野】
【０００１】
本発明は、携帯型ストラッピング（strapping：バンド掛け）装置用の保持装置であって、携帯型ストラッピング装置を所定位置で保持することができる、保持装置に関する。
【背景技術】
【０００２】
携帯型ストラッピング装置には、充電式エネルギー貯蔵部、特に、蓄電池が設けられることが多い。こうした装置には、その使用の目的で電気エネルギーが充電され、それにより、被駆動構成要素にエネルギーを供給することができる。通常、それぞれの蓄電池は、放電するか又は少なくとも大部分放電するまで使用される。放電が発生すると、放電した蓄電池は充電済み蓄電池と交換され、放電した蓄電池は、ストラッピング装置で更に使用されるために充電ステーションで再充電される。所与の時点で、再充電された蓄電池をストラッピング装置に戻してストラッピングをもたらすために使用することができる。
【０００３】
こうしたストラッピング装置の使用は、蓄電池用の充電ステーションから離れて行われる可能性がある。したがって、放電した電池を充電済み電池と交換するために、生産に使用されている携帯型ストラッピング装置の使用者が、離れた充電ステーションまで行き、そこで、ストラッピング装置に再充電された電池を挿入し、放電した電池を充電ステーションで再充電する必要がある可能性がある。このプロセスには、使用者がいかなるストラッピングも行うことができない比較的大きい時間の消費があるという欠点がある。
【発明の概要】
【発明が解決しようとする課題】
【０００４】
したがって、本発明は、携帯型ストラッピング装置によるストラッピングプロセスをより生産的にすることができる可能性をもたらすという課題に基づく。
【課題を解決するための手段】
【０００５】
この課題は、本発明により、ストラッピング装置内に挿入されるストラッピング装置の充電式電池の充電のための、保持装置に一体化された充電ステーションと、また、保持装置のホルダーであって、保持装置におけるストラッピング装置の位置的に正確な配置のために位置決め手段が配置され、それにより、ストラッピング装置が、ストラッピング装置に配置された充電式電池が充電ステーションに対して所定の充電位置にあるように、位置決め手段により保持装置に配置される、ホルダーとを備えた、最初に言及した種類の保持装置により解決される。課題は、さらに、請求項１２〜１７に記載の充電ステーション及びストラッピングシステムによって解決される。
【０００６】
したがって、本発明によれば、ストラッピング装置に取外し可能に挿入される充電式蓄電池を、今までストラッピング装置に対して使用された従来の方法で、交換可能な蓄電池を取り外し、個々の電池を充電ステーションに挿入することによるのではなく、ストラッピング装置に設置された蓄電池と合わせて装置全体を充電ステーションに挿入しそれを充電することにより、充電することが提案される。
【０００７】
ストラッピング装置の分野とはかけ離れたコードレススクリュードライバーの分野から、コードレススクリュードライバーをそれらの設置された電池とともに合わせて充電ステーションに配置する方法であって、コードレススクリュードライバーのハンドルの下端部に設置されかつ使用者によって取外し可能な蓄電池が、充電ステーションにおいて充電ステーションのトレー面の上で合わせて位置するように配置する方法が既知である。したがって、充電ステーションは、電池が設置されているコードレススクリュードライバーの重量全体に耐える。充電ステーションに対する設置された電池の正確な向きを達成するために、電池は、コードレススクリュードライバー用の保持装置なしで充電ステーションのガイド内に配置される。これとは対照的に、本発明による解決法では、設置された蓄電池及び充電ステーションは、ストラッピング装置の重量全体を支持する必要はない。同様に、本発明によれば、充電ステーションに対する蓄電池の正確な充電位置は、保持装置における蓄電池の方向付けがストラッピング装置を方向付けることによって行われるという点で、有利に達成される。本明細書では、本発明の１つの好ましい実施形態において、保持装置に、ストラッピング装置を空間的に３つの異なる方向に向けることができる手段が設けられることが特に好都合である。これらの好ましく提供される相違は、ストラッピング装置とともに蓄電池を合わせて、充電ステーションに対して正確な位置に単純かつ迅速に配置することができることを意味する。これにより、充電プロセスの機能的安全性が著しく向上する。
【０００８】
本発明ではさらに、連続したストラッピングプロセスの合間、すなわち、電池が設置された状態でのストラッピング装置の使用中、設置された蓄電池の充電が可能である。ストラッピング装置は、例えば、連続したストラッピングを行う合間に、ストラッピング装置を充電ステーションに接して配置することにより、特に本発明による保持装置内にストラッピング装置を挿入することにより、充電することができる。したがって、本発明により、ストラッピング装置が以前は傍らに置かれ使用されない状態であったストラッピングプロセスの合間の時間を、蓄電池の部分充電が発生する中間充電プロセスのために使用することが可能になる。このように、別の蓄電池と交換することが必要になるまでの携帯型ストラッピング装置及びその蓄電池の有用な時間が、実質的に増大する。
【０００９】
保持装置の使用から更に離れた独立した重要性もまた有する、本発明の特に好都合な実施形態では、使用される充電ステーションは、非接触充電プロセスに対して設計された充電ステーションとすることができる。この場合、充電ステーションの１つ以上の誘導コイルの領域に蓄電池を配置することにより、電気エネルギーが蓄電池に伝送される。「非接触」は、この文脈では、「導電接触がない」ことを意味し、すなわち、「無線」という意味であると理解される。充電式蓄電池の１つ以上の非導電面と充電ステーションとの間の非導電接触は、他方では、設置された蓄電池の正確な方向付けを簡単な方法で補助するために、明示的に望ましくかつ有利である可能性があり、それにより、最適な充電プロセスが達成され、又は充電プロセス中の誤動作を防止することができる。好ましくは保持装置に設けられた位置決め手段により、保持装置に配置されたときの蓄電池が、充電ステーションの１つ以上の面に所定の方法で当接することになることを有利に確実にすることができる。非接触充電ステーションでは、１つ以上の誘導コイルは、例えば、こうした外面の後方に配置することができ、それらによって交番磁界を発生させることができる。同様に、充電ステーションの少なくとも１つのコイルの磁界内の充電位置に配置される、蓄電池の１つ以上のコイルにおいて、磁界は、受信コイルに電流の流れを引き起こす電圧を誘導し、その電流の流れが蓄電池の充電に使用される。
【００１０】
充電されストラッピング装置に設置される蓄電池の特別に迅速であるがそれにも関わらず正確な方向付けは、好ましくは、充電位置にあるストラッピング装置がベースプレートによって充電ステーションと当接する、保持装置におけるストラッピング装置の配置によって達成することができる。これに関して、ベースプレートは、携帯型ストラッピング装置における単数又は複数の構成要素であって、それにより、特定のストラッピング装置が、特定の包装品に接して配置されるか、又はストラッピングプロセス中にそれらに当接する構成要素を意味することが理解される。本発明の好ましい実施形態では、ストラッピング装置及び保持装置は、保持装置がストラッピング装置をそのベースプレートの上に置くように設計されるように、互いに適応させることができる。さらに、有利には、ストラッピング装置が、保持装置の所定位置において、例えば、保持装置上のベースプレートの嵌め合い（form fitting）固定によって、滑らないようにそのベースプレートによって受け入れられるように設計されるものとすることができる。ストラッピング装置のそのベースプレートへの固定の代わりに又はそれに加えて、本発明の他の好ましい実施形態では、例えば、ハウジングの上に又は接して、特に好ましくは、このために設置された電池又はその蓄電池を使用することなく、係合させることにより、ストラッピング装置自体をストラッピング装置の他の要素のうちの１つ以上に固定することができる。固定は、これに関して、ストラッピング装置が、保持装置において所定の明確な位置にあり、ストラッピング装置を持ち上げることのみにより、再度取り外すことができることを意味するように理解される。このように、単純な設計解決法により、保持装置におけるストラッピング装置のその蓄電池を含む、それにも関わらず確実な配置が可能であり、保持装置における蓄電池の機能的に安全な充電プロセスに寄与する。特に、ストラッピング装置に、充電ステーションに対してストラッピング装置を置くためだけに設けられるいかなる設計上の特徴も回避することができる。
【００１１】
本発明の特に好ましい実施形態では、携帯型ストラッピング装置は、正面領域を有することができ、そこに、例えば、１つ以上の歯車とともに締付ホイール及び好ましくはまた振動溶着装置等、ストラッピング装置の機械的要素のうちの少なくとも幾つか又は全てが配置される。さらに、ストラッピング装置はまた後方領域も有し、そこには、交換可能な蓄電池用の少なくとも１つのホルダーが設けられる。ストラッピング装置の正面領域及び後方領域は、好ましくは、ハンドルを用いて互いに接合される。さらに、ストラッピング装置の正面領域及び後方領域に、ストラッピング装置の好ましい実施形態の正面領域及び後方領域を同様に互いに接合する、ハンドルの下にかつそこから間隔を空けて設けられた別のハウジング領域を設けることが特に好ましい場合がある。使用の位置でのストラッピング装置の底面には、ベースプレート載置面を備えたベースプレートを設けることができる。包装品にストラッピングを提供するために、ストラッピング装置は、この配置でストラッピングプロセスを実施するように、ベースプレート載置面が特定の包装品に接するように配置されるように設計される。本発明の文脈では、ベースプレートを保持装置に及び／又は保持装置の位置決め手段に接するように配置し、それにより、ストラッピング装置の後方領域が充電位置でその電池／蓄電池が充電ステーションに直接対向して位置するようにすることにより、こうしたストラッピング装置を保持装置の所定位置に配置することが更に好ましい可能性がある。保持装置におけるストラッピング装置の位置的に正確な配置のために、ベースプレートの代わりに又はそれに加えて、ストラッピング装置のハウジング、例えば、ハンドルの下にかつそこから間隔を空けて設けられる、ストラッピング装置の正面領域と後方領域との間に位置するハウジング領域もまた、保持装置の位置決め手段と当接するように設計することができる。
【００１２】
本発明の別の実施形態によれば、充電ステーションが一体化した保持装置を可動カートに配置することができ、可動カートは、保持装置及び少なくとも１つのストラッピング装置とともに合わせてストラッピングシステムを形成するものとすることができる。こうしたカートを用いて、ストラッピング装置とともに保持装置を運び、したがって、その使用時間の間、動作中にストラッピング装置を充電することができる。したがって、蓄電池はまた、ストラッピング装置で使用されている間に少なくとも部分的に充電することができる。
【００１３】
充電ステーションが配置されているこうした可動カートの使用は、ストラッピングを形成するために必要な材料もまたカートと運ぶことができる場合、更に後押しされ得る。したがって、特に、カートは、ストラッピングバンドの補給品、特にストラッピングバンドのロール用のホルダーを有するものとすることができる。バンド補給品用のホルダーは、保持装置の配置と連携した所定の向きでバンド補給品を提供するように、特に好都合な方法で配置することができる。この向きは、好ましくは、バンド補給品の引張り方向が、ストラッピング装置においてバンドの伸びる意図した方向に対して少なくとも実質的に平行に伸びるようなものとすることができる。このように、バンド補給品からストラッピングバンドを人間工学的に好都合な方法で引っ張り、それを、カートに配置されたストラッピング装置内にすぐに挿入することができる。ストラッピング装置の使用者は、バンドループの形成とバンドのストラッピング装置への導入のために、以前のようにストラッピング装置を保持する必要がないため、両手が自由になり、それにより、ストラッピングプロセスの準備を安全かつ迅速に行うことができる。
【００１４】
本発明の更に好ましい実施形態は、特許請求の範囲、明細書及び図面から明らかとなろう。
【００１５】
本発明について、図に単に概略的に表す例示的な実施形態を用いてより厳密に説明する。図面には以下を示す。
【図面の簡単な説明】
【００１６】
【図１】携帯型ストラッピング装置が設置されている、無線充電ステーションを保持する、本発明による保持装置の斜視図である。
【図２】図１の保持装置及び対応するストラッピング装置の組立分解図である。
【図３】無線充電ステーションが設置されている、本発明による保持装置の斜視図である。
【図４】組立分解図での図３の保持装置及び充電ステーションの図である。
【図５】図１の保持装置の底面の図である。
【図６】上に図１の保持装置が配置されかつストラッピング装置が挿入されている、本発明による付属装置の図である。
【発明を実施するための形態】
【００１７】
図１は、携帯型ストラッピング装置２用の本発明による保持装置１の例示的な実施形態を示す。保持装置１及び携帯型ストラッピング装置２は、更に後に説明するように互いに連係して動作する。図１に示すストラッピング装置は、既知の方法でバンドストラップを生成するように設計されている。このために、バンドループ、特にただし排他的にではなくプラスチックバンド３が、特定の包装品の周囲に配置される。バンドループの２つの層が重ねて配置されるバンドループの領域が、ストラッピング装置２内に導入され、バンドループのバンドは、ストラッピング装置２の締付装置を用いて包装品に接するように配置され、バンドに張力が加えられ、次いで、バンドループは、ストラッピング装置の閉鎖装置を用いて接続され閉鎖される。締付装置及び閉鎖装置が設けられたこうしたストラッピング装置２は、それ自体、多くの種類で既知である。
【００１８】
こうしたバンドストラッピング装置には、特にそれらの締付装置及び閉鎖装置を駆動するために、エネルギーを供給する必要がある。これに対する１つの広く使用されているオプションは、ストラッピング装置に設置された蓄電池４を通して電気エネルギーを提供するというものであり、電気エネルギーにより、１つ以上の電気モーターを駆動することができる。例示的な実施形態では、蓄電池４は、ストラッピング装置２の所定位置にあるそのホルダー５内に挿入される。蓄電池４は、ストラッピング装置２から取り外して、別の蓄電池と交換することができる。本発明による他の実施形態では、蓄電池は、ストラッピング装置に永久的に設置することもできる。
【００１９】
図２及び図３に示す保持装置１は保持部分を有し、それは、例示的な実施形態では、収納プレート８として構成されている。収納プレートは、その意図された使用位置では、実質的に水平に向けられ、平坦な底部８ａを有し、それにより、保持装置１は対応するベースの上に置くことができる。収納プレート８の上部８ｂの外形は、ストラッピング装置の底部の形状に適合される。上部８ｂの表面は、平面図に関しておよそＴ字形又はハンマー形状に形成されている。収納プレート８の正面領域９は、実質的に一定の幅で設けられている隣接するウェブ部分１０より大きい幅を有する。ウェブ部分１０の前端部１０ａから離れる方に面する後端領域１０ｂにおいて、上面８ｂの表面は傾斜面のように高くなっている。ウェブ部分１０のこの後端部１０ｂに、充電ステーション１２用のホルダー部分１１が隣接している。ホルダー部分１１は、およそ直方体であり、収納プレート８及びその底面に対して高くなっている。ホルダー部分１１が底面８ａに対して高くなっている角度αは、ストラッピング装置２における蓄電池４の配置に対して適合され、例えば、９０度〜１４０度の範囲で選択することができる。
【００２０】
ホルダー部分１１に、ストラッピング装置２に挿入されかつ配置される蓄電池４を無線充電するための充電ステーション１２が設けられている。蓄電池の無線又は非接触充電用のこうした充電ステーション１２は、70839 Gerlingen-Schillerhohe所在のRobert Bosch GmbH社から入手可能である。充電ステーション１２は無線充電ステーションであり、そこでは、無線エネルギー伝送に対して同様に設計された電池又は蓄電池を、充電ステーションの充電面の近くの適所に配置することにより、電池又は蓄電池に電気エネルギーを伝送することができる。
【００２１】
図の例示的な実施形態では、収納プレート８、ウェブ部分１０及びホルダー部分１１は、単一部品として、例えば、射出成形プラスチックの単一構成部品として、合わせて接合されている。
【００２２】
収納プレート８の上面に、その上面から突出する幾つかのウェブ１５、１６、１７、１８の形態の位置決め手段が設けられている。本発明の他の実施形態では、位置決め手段としてウェブ以外の要素を設けることもできる。ウェブ部分１０の領域では、上面から２つのウェブ１５、１６。例示的な実施形態では、これらの２つのウェブ１５、１６は、互いに平行に直線状に伸び、ウェブ部分１０の対向する長手方向縁の領域において互いから間隔を空けて配置されている。２つのウェブ１５、１６はさらに、上面に対して一定の高さを有する。
【００２３】
収納プレート８のベースプレート台１９の領域に、上面８ｂから突出する別の２つのウェブ１７、１８が配置されている。これらの２つのウェブ１７、１８は、共通の位置合せで配置され、互いに平行に伸びている。それらはさらに、ウェブ部分１０のウェブ１５、１６の広がりに対して少なくともおよそ垂直に向けられている。
【００２４】
ウェブの位置、向き及び広がりは、ベースプレート台１９に接して置かれるストラッピング装置のベースプレート２０が、その正面長手方向縁２０ａによってベースプレート台１９の２つのウェブ１７、１８に接して載るように設計される。本明細書におけるベースプレート２０は、ストラッピング装置２の構成要素であり、それにより、ストラッピング装置２は、ストラッピングプロセス中、ベースプレート２０の底面によって特定の包装品に接して載るように設計される。ストラッピング装置のベースプレート２０は、通常、締付及び閉鎖装置の領域に位置し、締付及び／又は閉鎖プロセス中、その上面により、ストラッピングバンドのための支持体としての役割を果たすことができる。特定のストラッピング装置２及び特定の保持装置１は、それらの幾何学的設計に関して互いに連係するため、すぐに使用できる（ready-to-use）ストラッピング装置に設置された蓄電池４は、少なくともその表面のうちの１つ、すなわち、後部の自由にアクセス可能な接触面２３により、この位置で、充電ステーション１２の充電面２４に当接することになる。所望の充電結果で充電機能を実施するために、接触面２３はまた有利には、ストラッピング装置２の長手方向広がりに対して横切る方向にも向けられるべきであり、それにより、この方向に関して、充電面と接触面との間の最大限のオーバーラップももたらすことができる。ウェブ部分１０の２つのウェブ１５、１６は、こうした位置的に正しい向きに設計され、それらの間の間隔は、この間隔が、ストラッピング装置２の頭部領域とその電池ホルダーとの間の領域におけるストラッピング装置２の底面の幅に少なくとも略対応するように設計されている。ウェブ１５、１６は、ホルダー部分１１に配置された充電ステーション１２の充電面２４に関して連係し、蓄電池４の接触面２３が、ストラッピング装置の長手方向広がりの方向に対して少なくとも実質的に横切って伸びる方向においても、所定の方法で向けられかつ位置決めされるようにする。保持装置の位置決め手段により、ストラッピング装置２及びその中に設置された蓄電池４は、その充電位置に配置し、高速な、正確に繰返し可能なかつ機能的に安全な方法で充電することができる。
【００２５】
ストラッピング装置は、この場合、２つのウェブ１５、１６の間の上述した領域に最小限の遊びがあるように、配置されるべきである。さらに、２つのウェブ１５、１６は、ストラッピング装置が側方にずれることができないだけでなく、収納プレート８の上面８ｂの表面上で回転移動しないように安定しているような長さを有することが有利である。ストラッピング装置２を保持装置１の上に又は中に配置することにより、ストラッピング装置２は、ベースプレートに対して垂直な方向においても充電面２４に対して位置的に正確に向けられる。したがって、保持装置１は、充電ステーション１２に対して空間的に３つの方向全てにおいて、ストラッピング装置２及びその蓄電池４の方向付けをもたらす。
【００２６】
保持装置にストラッピング装置がこのように挿入されると、保持装置に挿入される度に、充電ステーションによってストラッピング装置の蓄電池を充電することができる。
【００２７】
図６は、ストラッピングをもたらすための携帯型付属装置２９を示す。これは、例示的な実施形態では、一種の可動カート３０として構成されており、少なくとも２つの車輪と、カート３０のフレーム３２に形成された自立補助具３３とが設けられており、それにより、カート３０は、ベース面に安定して配置されるように待機させることができる。付属装置２９は、ハンドル３４で押すことができる。さらに、付属装置２９には、図６にのみ示されているストラッピングバンドロール３６用のホルダー３５が設けられており、その上にこうしたロール３６を配置することができる。ロール３６は、ホルダー３５の上に回転式に取り付けられ、それにより、ロールからストラッピングバンドを引き離すことができる。
【００２８】
ロールの直接上方にかつハンドル３４の領域において、付属装置２９の上に、保持装置１を受け入れるように設計されているトレー３７が配置されている。トレー３７の上に保持装置１を置くことができる。好ましくは、トレーの上に保持装置を所定位置で解除可能に配置するために、トレー３７の上にこのために好適な手段が設けられる。本発明の他の好都合な実施形態では、保持装置１はまた、トレー３７に解除不能に接続される場合があり、又はその上に単に緩く配置される場合もある。
【００２９】
保持装置１は、保持装置に挿入されたストラッピング装置２の指定された一続きのバンドが、ストラッピングバンドロール３６の水平接線に対して少なくとも略平行に伸びるように、バンド補給品用のホルダー３５に関して有利に設計することができる。この向きにより、ストラッピングプロセスを特に容易に準備することができる。ロールから引き離されるストラッピングバンドは、すでにストラッピング装置が保持装置に挿入されたままの状態で、ロールにおけるバンドの向きによりすでに正確な向きでストラッピング装置に容易に挿入することができる。このために、バンドは、補給品ロールの引出し面から移動させる必要がなく、又は最大限でもわずかに移動させればよい。
【００３０】
さらに、充電ステーション１２には電源接続部４０が設けられ、それにより、充電ステーションを外部電源に接続することができる。電源接続部４０は、特に、特定の国の典型的なコンセントに適合する標準化プラグとすることができる。したがって、送電網から利用可能な特定の交流電流で充電ステーション１２に電力を供給することができる。好ましくはカート３０として形成されたストラッピング付属装置２９は、したがって、例えば生産ベイにおいて、動作中に或る場所から別の場所に押して行くことができ、各場所で、必要に応じて最も近いコンセントに接続することができ、それにより、使用されていないときのストラッピング装置は、供給電源に接続されかつカート上に配置された保持装置に挿入されるため、すぐに動作するストラッピング装置を使用する間隔の間に、すぐに動作するストラッピング装置２をその蓄電池４によってもまた充電することができる。
【符号の説明】
【００３１】
１    保持装置
２    ストラッピング装置
３    プラスチックバンド
４    蓄電池
５    ホルダー
８    収納プレート
８ａ    底面
８ｂ    上面
９    正面領域
１０    ウェブ部分
１０ａ    前端部
１０ｂ    後端領域
１１    ホルダー部分
１２    充電ステーション
１５    ウェブ
１６    ウェブ
１７    ウェブ
１８    ウェブ
１９    ベースプレート台
２０    ベースプレート
２０ａ    正面長手方向縁
２１    
２３    電池接触面
２４    充電面
２９    付属装置
３０    カート
３１    車輪
３２    フレーム
３３    自立補助具
３４    ハンドル
３５    ホルダー
３６    ストラッピングバンドロール
３７    トレー
４０    電源接続部
【図１】
2018523457.tif 000003
【図２】
2018523457.tif 000004
【図３】
2018523457.tif 000005
【図４】
2018523457.tif 000006
【図５】
2018523457.tif 000007
【図６】
2018523457.tif 000008
【国際調査報告】
2018523457.tif 000009
2018523457.tif 000010
2018523457.tif 000011
2018523457.tif 000012
2018523457.tif 000013
2018523457.tif 000014